(57)【要約】【課題】表示文字のフォントの違和感を出来るだけ抑えつつ、他の言語の表示文字を有効活用することが可能な操作部１０２を提供する。【解決手段】所定のフォントＡの言語データを同一のフォントＡの他の言語データで代用するか否かを判定する言語データ代用判定手段４０２と、代用する場合に、前記言語キー６０６の言語の表示文字を、前記他の言語データの文字から検索する言語データ代用検索手段４０７と、前記言語キー６０６の言語の表示文字が前記他の言語データの文字に存在する場合に、当該存在した他の言語データの文字を取得し、存在しない場合に、前記言語キー６０６の言語で、前記フォントＡと異なる他のフォントＢの言語データの文字を取得する言語データ切替手段４０４と、前記言語キー６０６の言語で画面の表示文字を表示する表示受付手段４０１とを備える操作部１０２を提供する。【選択図】図４
2015026238.tif 000002
【特許請求の範囲】
【請求項１】
ユーザにより所定の言語キーが選択されると、当該選択された言語キーの言語の文字で画面の表示文字を表示する操作装置であって、
前記選択された言語キーの言語における所定のフォントの言語データを同一のフォントの他の言語データで代用するか否かを判定する言語データ代用判定手段と、
前記判定の結果、前記フォントの言語データを同一のフォントの他の言語データで代用する場合に、前記言語キーの言語の表示文字を、前記他の言語データの文字から検索する言語データ代用検索手段と、
前記検索の結果、前記言語キーの言語の表示文字が前記他の言語データの文字に存在する場合に、当該存在した他の言語データの文字を取得し、前記言語キーの言語の表示文字が前記他の言語データの文字に存在しない場合に、前記言語キーの言語で、前記フォントと異なる他のフォントの言語データの文字を取得する言語データ切替手段と、
前記取得された文字に基づいて、前記言語キーの言語で画面の表示文字を表示する表示受付手段と
を備えることを特徴とする操作装置。
【請求項２】
前記言語データ代用判定手段は、前記フォントにおいて、前記選択された言語キーの言語の言語データと前記他の言語データとが共存出来ない場合に、当該言語キーの言語における前記フォントの言語データを同一のフォントの他の言語データで代用するか否かを判定する
請求項１に記載の操作装置。
【請求項３】
前記言語データ代用判定手段は、前記選択された言語キーの言語が台湾語である場合に、当該台湾語における所定のフォントの言語データを同一のフォントの日本語の言語データで代用するか否かを判定する
請求項１又は２に記載の操作装置。
【請求項４】
請求項１−３のいずれか一項に記載の操作装置を備えた画像形成装置。
【請求項５】
ユーザにより所定の言語キーが選択されると、当該選択された言語キーの言語の文字で画面の表示文字を表示する操作装置の操作方法であって、
前記選択された言語キーの言語における所定のフォントの言語データを同一のフォントの他の言語データで代用するか否かを判定するステップと、
前記判定の結果、前記フォントの言語データを同一のフォントの他の言語データで代用する場合に、前記言語キーの言語の表示文字を、前記他の言語データの文字から検索するステップと、
前記検索の結果、前記言語キーの言語の表示文字が前記他の言語データの文字に存在する場合に、当該存在した他の言語データの文字を取得し、前記言語キーの言語の表示文字が前記他の言語データの文字に存在しない場合に、前記言語キーの言語で、前記フォントと異なる他のフォントの言語データの文字を取得するステップと、
前記取得された文字に基づいて、前記言語キーの言語で画面の表示文字を表示するステップと
を備えることを特徴とする操作方法。
【請求項６】
請求項５に記載の操作方法をコンピュータに実行させるためのプログラム。
【請求項７】
請求項６に記載のプログラムを記憶したコンピュータに読み取り可能な記憶媒体。
【発明の詳細な説明】
【技術分野】
【０００１】
本発明は、操作装置及び操作方法に関し、詳しくは、表示文字のフォントの違和感を出来るだけ抑えつつ、他の言語の表示文字を有効活用することが可能な操作装置及び操作方法に関する。
【背景技術】
【０００２】
従来より、複写機、複合機、プリンタ等の画像形成装置でのフォントに関する技術は多数存在する。例えば、特開２０１０−１３７４５５号公報（特許文献１）には、フォントデータを利用して印刷ジョブを処理する画像形成装置が開示されている。この画像形成装置では、前記印刷ジョブを解析して当該印刷ジョブの処理に必要なフォントデータを特定し、前記フォントデータを自装置の記憶部に保持しているかを判断し、前記フォントデータを保持していない場合には、通信ネットワークに接続されている他の装置に前記フォントデータの送付要求を送信するとともに、いずれかの前記他の装置から前記フォントデータを受信し、受信した前記フォントデータを利用して前記印刷ジョブを処理する機能を備える。これにより、印刷ジョブの処理に必要なフォントデータを保持していない場合であっても、期待した出力結果を得ることができるとしている。
【０００３】
又、特開平７−３２５６８７号公報（特許文献２）には、上位装置が双方向インターフェースを介して接続され、該上位装置から入力された印刷情報に対応する印刷パターンを記録媒体に形成する出力装置が開示されている。この出力装置には、前記印刷パターンに使用するパターンデータを内蔵していないことを検出するパターンデータ検出手段と、双方向性インターフェースを介して接続された周辺装置または前記上位装置に前記内蔵していないパターンデータが存在することを検索する検索手段と、該存在することが検索された前記上位装置または前記周辺装置から前記パターンデータを受信する受信手段とを備えている。これにより、出力すべき印刷情報に使用されるパターンデータが出力装置に存在しない場合でも上位装置または周辺装置に存在するパターンデータを用いて出力装置を限定することなく印刷情報を出力でき、したがって、操作者は出力装置がパターンデータを内蔵しているのかを意識することなく目的のパターンデータを用いて印刷情報を出力できるとしている。
【０００４】
又、特開２００６−７５７２号公報（特許文献３）には、操作表示部と、前記操作表示部の表示画面上に表示する表示言語を選択的に切り替える言語切り替え手段とを備えた画像形成装置が開示されている。この画像形成装置は、前記言語切り替え手段により切り替えられた言語で使用される文字が１バイトの文字コードで定義されている場合に、２バイトの文字コードで定義されている文字を使用する他の言語の文字を前記操作表示部の同一表示画面内に表示させる制御手段を備えている。これにより、画像形成装置の操作表示部における表示言語が、文字入力された２バイトの文字コードで定義される文字を使用する言語とは別の、１バイトの文字コードで定義される文字を使用する言語に切り替えられても、入力された文字列を入力された言語の文字で正しく表示することが可能となるとしている。
【０００５】
又、特開２００８−２７３０９１号公報（特許文献４）には、情報処理装置で使用する複数の言語データを格納しているメモリと、上記メモリに記憶されている複数の言語データから、少なくとも１つの言語データを選択する言語データ選択手段とを有する情報処理装置が開示されている。この情報処理装置では、上記言語データ選択手段によって選択された言語データ以外の言語データを、上記メモリから消去し、言語データ以外のデータを格納する特定データ格納領域として使用可能にするメモリ制御手段を更に備える。これにより、多くの言語に対応しながらも、プログラムを格納するメモリ容量の増大を抑制することができるという効果を奏するとしている。
【先行技術文献】
【特許文献】
【０００６】
【特許文献１】特開２０１０−１３７４５５号公報
【特許文献２】特開平７−３２５６８７号公報
【特許文献３】特開２００６−７５７２号公報
【特許文献４】特開２００８−２７３０９１号公報
【発明の概要】
【発明が解決しようとする課題】
【０００７】
ところで、画像形成装置のグローバル化に対応すべく、設置地域に対応して、予め登録された言語データ以外の他の言語データをオプション言語データとして当該画像形成装置にインストールすることが出来る。ここで、前記オプション言語データは、例えば、アジア地域であれば、日本語データ、中国語データ、台湾語データ、韓国語データ等が採用される。
【０００８】
このオプション言語データは、通常、記憶容量の制限等の何らかの理由により、特定のフォントにおいて、一つの言語データのみしかインストール出来ない場合がある。例えば、特定のフォントの日本語の言語データをオプション言語データとしてインストールした場合に、同一のフォントの台湾語の言語データを更にインストールすることが出来ない。そうすると、この画像形成装置は、台湾地域に対応出来ないという問題がある。このような問題に対して、前記特許文献１−４に記載の技術では、解決することが出来ない。
【０００９】
一方、日本語と台湾語は、同一のフォントにおいて一部の文字は共通の文字であるため、台湾語は、日本語で一部代用表示出来るという実情がある。そうすると、特定のフォントにおいては、日本語の言語データを台湾語の言語データとして一部利用出来る可能性がある。
【００１０】
そこで、本発明は、前記問題を解決するためになされたものであり、表示文字のフォントの違和感を出来るだけ抑えつつ、他の言語の表示文字を有効活用することが可能な操作装置及び操作方法を提供することを目的とする。
【課題を解決するための手段】
【００１１】
上述した課題を解決し、目的を達成するために、本発明に係る操作装置は、ユーザにより所定の言語キーが選択されると、当該選択された言語キーの言語の文字で画面の表示文字を表示する操作装置であって、以下の構成を採用する。
【００１２】
即ち、前記操作装置は、前記選択された言語キーの言語における所定のフォントの言語データを同一のフォントの他の言語データで代用するか否かを判定する言語データ代用判定手段と、前記判定の結果、前記フォントの言語データを同一のフォントの他の言語データで代用する場合に、前記言語キーの言語の表示文字を、前記他の言語データの文字から検索する言語データ代用検索手段と、前記検索の結果、前記言語キーの言語の表示文字が前記他の言語データの文字に存在する場合に、当該存在した他の言語データの文字を取得し、前記言語キーの言語の表示文字が前記他の言語データの文字に存在しない場合に、前記言語キーの言語で、前記フォントと異なる他のフォントの言語データの文字を取得する言語データ切替手段と、前記取得された文字に基づいて、前記言語キーの言語で画面の表示文字を表示する表示受付手段とを備えることを特徴とする。
【００１３】
又、前記言語データ代用判定手段は、前記フォントにおいて、前記選択された言語キーの言語の言語データと前記他の言語データとが共存出来ない場合に、当該言語キーの言語における前記フォントの言語データを同一のフォントの他の言語データで代用するか否かを判定する。
【００１４】
又、前記言語データ代用判定手段は、前記選択された言語キーの言語が台湾語である場合に、当該台湾語における所定のフォントの言語データを同一のフォントの日本語の言語データで代用するか否かを判定する。
【００１５】
又、本発明の操作装置は、画像形成装置に備えることが出来る。
【００１６】
尚、本発明は、ユーザにより所定の言語キーが選択されると、当該選択された言語キーの言語の文字で画面の表示文字を表示する操作装置の操作方法として提供することが出来る。
【００１７】
即ち、前記操作方法は、前記選択された言語キーの言語における所定のフォントの言語データを同一のフォントの他の言語データで代用するか否かを判定するステップと、前記判定の結果、前記フォントの言語データを同一のフォントの他の言語データで代用する場合に、前記言語キーの言語の表示文字を、前記他の言語データの文字から検索するステップと、前記検索の結果、前記言語キーの言語の表示文字が前記他の言語データの文字に存在する場合に、当該存在した他の言語データの文字を取得し、前記言語キーの言語の表示文字が前記他の言語データの文字に存在しない場合に、前記言語キーの言語で、前記フォントと異なる他のフォントの言語データの文字を取得するステップと、前記取得された文字に基づいて、前記言語キーの言語で画面の表示文字を表示するステップとを備えることを特徴とする。このような構成であっても、上述と同様の効果を得ることが可能となる。
【００１８】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００１９】
本発明の操作装置及び操作方法によれば、表示文字のフォントの違和感を出来るだけ抑えつつ、他の言語の表示文字を有効活用することが可能となる。
【図面の簡単な説明】
【００２０】
【図１】本発明の実施形態に係る操作部を備える画像形成装置の概念図である。
【図２】本発明の実施形態に係る操作部の全体構成を示す概念図である。
【図３】本発明に係る複合機１００の制御系ハードウェアの構成を示す図である。
【図４】本発明の実施形態における複合機の機能ブロック図である。
【図５】本発明の実施形態の実行手順を示すためのフローチャートである。
【図６】本発明の実施形態のタッチパネル上に表示された日本語の操作画面の一例を示す図（図６（Ａ））と、本発明の実施形態のタッチパネル上に表示された表示言語切替画面の一例を示す図（図６（Ｂ））とである。
【図７】本発明の実施形態の言語データ代用テーブルの一例を示す図（図７（Ａ））と、本発明の実施形態の表示文字テーブルと代用日本語文字の一例を示す図（図７（Ｂ））とである。
【図８】本発明の実施形態の表示文字テーブルと台湾語文字の一例を示す図（図８（Ａ））と、本発明の実施形態のタッチパネル上に表示された台湾語の操作画面の一例を示す図（図８（Ｂ））とである。
【発明を実施するための形態】
【００２１】
以下に、添付図面を参照して、本発明の操作装置（操作部）を備える画像形成装置及び操作方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００２２】
＜操作部を備える画像形成装置＞
図１は、本発明の実施形態に係る操作部を備える画像形成装置の概念図である。但し、本発明に直接には関係しない各部の詳細は省略している。
【００２３】
尚、本発明の操作部を備える画像形成装置は、例えば、プリンタやスキャナ単体、あるいはプリンタ、コピー、スキャナ、ファックス等を備えた複合機等が該当し、コピー機能、スキャナ機能、ファクシミリ機能、プリンタ機能等を備えた画像形成装置として機能する。
【００２４】
以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２５】
先ず、ユーザが複合機１００を利用する場合、原稿を筐体部の上面に備えられている原稿台１０１に載置する。続いて、ユーザは、前記原稿台１０１近傍に備えられている操作部１０２（操作パネル）を使用して、画像形成に関する設定条件の入力を当該操作部１０２の操作画面から入力する。そして、ユーザが、前記操作部１０２に設けられたスタートキーを押下すると、複合機１００が画像形成（印刷処理）を開始する。
【００２６】
次に、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、前記原稿に対応する画像データが生成される。
【００２７】
さて、前記画像データに基づいてトナー像を形成する部分が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００２８】
前記帯電器１１１は、前記感光体ドラム１１０表面を一様に帯電させる。前記露光ユニット１１２は、帯電された感光体ドラム１１０の表面に、前記画像データに基づいてレーザーを照射し、静電潜像を形成する。前記現像器１１４は、形成された静電潜像に、トナーを付着させてトナー像を形成する。形成されたトナー像は、前記転写器１１４により、記録媒体（例えば、用紙、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００２９】
前記用紙は、複合機１００に備えられた複数の給紙カセット１１６から搬送される。搬送される時は、前記用紙は、ピックアップローラ１１７により何れか１つの給紙カセット１１６から搬送路へ引き出される。各給紙カセット１１６には、それぞれ異なる紙種の用紙が収容されており、画像形成に関する設定条件に基づいて用紙が給紙される。
【００３０】
搬送路に引き出された用紙は、搬送ローラ１１８やレジストローラ１１９により感光体ドラム１１０と転写器１１４の間に送り込まれる。送り込まれると、前記用紙は前記転写器１１４により前記トナー像が転写され、定着装置１２０に搬送される。
【００３１】
前記トナー像が転写された用紙が、前記定着装置１２０に備えられた加熱ローラと加圧ローラの間を通過すると、前記トナー像に熱と圧力が印加されて、可視像が用紙に定着される。前記加熱ローラの熱量は、紙種に応じて最適に設定され、前記定着が適切に行われる。前記可視像が用紙に定着されて画像形成が終了し、当該用紙は搬送ローラ１１８により、経路切替部１２１へ導かれる。
【００３２】
前記経路切替部１２１では、前記複合機１００による切り替え指示により、前記用紙を、前記筐体部の側面に設けられた排紙トレイ１２２へ案内したり、排紙口１２３を介して、前記筐体部の胴内に設けられた胴内トレイ１２４へ案内したりする。前記用紙は、前記排紙トレイ１２２か胴内トレイ１２４に積載され、収容される。前記手順により、複合機１００の筐体部はコピー機能をユーザに提供する。
【００３３】
次に、図２は、本発明の実施形態に係る操作部の全体構成を示す概念図である。ユーザは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００３４】
前記タッチパネル２０１には、設定条件を入力する機能と当該設定条件を表示する機能が兼ね備えられている。即ち、タッチパネル２０１上に表示された画面内のキーを押下することによって、当該押下されたキーに対応する設定条件が入力される。
【００３５】
前記タッチパネル２０１の背面には、ＬＣＤ（Ｌｉｑｕｉｄ  Ｃｒｙｓｔａｌ  Ｄｉｓｐｌａｙ）等の表示部（図示せず）が設けられており、当該表示部が、例えば、前記初期画面等の操作画面を表示する。前記タッチパネル２０１の近傍には、タッチペン２０２が備えられており、ユーザがそのタッチペン２０２の先をタッチパネル２０１に接触させると、タッチパネル２０１下に設けられたセンサーが接触先を検知する。
【００３６】
更に、前記タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００３７】
次に、図３を用いて、複合機１００の制御系ハードウェアの構成を説明する。図３は、本発明に係る複合機１００の制御系ハードウェアの構成を示す図である。ただし、本発明に直接には関係しない各部の詳細は省略している。
【００３８】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、操作部３０６（１０２）を内部バス３０７によって接続している。
【００３９】
前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０６と前記操作部３０７からのデータや指示、キーに対応する信号、命令等を授受し、図１に示した各駆動部の動作を制御する。
【００４０】
又、前記駆動部以外の後述する各手段（図４に示す）についても、前記ＣＰＵ３０１がプログラムを実行することで当該各手段を実現する。前記ＲＯＭ３０２、ＨＤＤ３０４等には、以下に説明する各手段を実現するプログラムやデータが記憶されている。
【００４１】
＜本発明の実施形態＞
次に、図４、図５を参照しながら、本発明の実施形態に係る構成及び実行手順について説明する。図４は、本発明の実施形態における複合機の機能ブロック図である。又、図５は、本発明の実施形態の実行手順を示すためのフローチャートである。
【００４２】
先ず、ユーザが、複合機１００の電源を投入すると、当該複合機１００が起動し、表示受付手段４０１が、タッチパネル２０１上に操作画面（初期画面）を表示する（図５：Ｓ１０１）。
【００４３】
前記操作画面６００には、図６（Ａ）に示すように、所定のメッセージ「ファックスできます。」６０１と、ファクシミリ機能等の設定条件を入力するための機能項目キー６０２と、前記画面に表示される表示文字を他の言語の文字に変更するための言語切替キー６０３（「言語切替」キー）とが表示される。ここで、前記操作画面６００に表示される表示文字（表示名、表示名称）は、予め設定された所定のフォント（フォントＡ）の日本語の文字で表示されている。
【００４４】
ここで、例えば、ユーザが、自身の言語で画面の文字を表示させたいと希望して、前記言語切替キー６０３を選択すると（図５：Ｓ１０２ＹＥＳ）、前記表示受付手段４０１が、当該言語切替キー６０３の選択を受け付けて、タッチパネル２０１上に表示言語切替画面を表示する（図５：Ｓ１０３）。
【００４５】
前記表示言語切替画面６０４には、図６（Ｂ）に示すように、所定のメッセージ「表示言語を選択して下さい。」６０５と、複数の言語キー６０６と、キャンセルキー６０７とが表示される。
【００４６】
ここで、前記言語キー６０６には、前記フォントＡの日本語の文字で、切替対象の言語名（言語名称）の略語が表示されており、例えば、表示言語のフォントＡの日本語からフォントＡの英語に切り替える言語キー６０６ａには、言語名として「英」が表示され、フォントＡの台湾語に切り替える言語キー６０６ｂには、言語名として「台」が表示されている。尚、現在設定されている日本語に対応する言語キー６０６ｃの背景は、他の言語キー６０６の背景と比較して異なる色（グレー色等）で表示され、ユーザに、当該日本語に対応する言語キー６０６ｃが選択されていることを示している。
【００４７】
ユーザは、前記表示言語切替画面６０４を見ながら、所定の言語キー６０６を選択すると、前記表示受付手段４０１が、当該言語キー６０６の選択を受け付けて（図５：Ｓ１０４ＹＥＳ）、その旨を言語データ代用判定手段４０２に通知する。当該通知を受けた言語データ代用判定手段４０２は、前記選択された言語キーの言語における所定のフォントＡの言語データを同一のフォントの他の言語データで代用するか否かを判定する（図５：Ｓ１０５）。
【００４８】
前記言語データ代用判定手段４０２が、前記フォントＡの言語データを同一のフォントの他の言語データで代用するか否かを判定する方法は、どのような方法でも構わないが、例えば、以下のようになされる。
【００４９】
即ち、前記言語データ代用判定手段４０２は、言語データ代用記憶手段４０３に予め記憶された言語データ代用テーブルを参照する。
【００５０】
前記言語データ代用テーブル７００には、図７（Ａ）に示すように、前記言語キー６０６の言語７０１（言語名、例えば、「英語」、「台湾語」、「日本語」等）と、当該言語７０１に対応する代用情報７０２とが関連付けて記憶される。
【００５１】
ここで、前記代用情報７０２には、同一のフォントＡの他の言語データで代用しない場合には、「代用しない」７０２ａが記憶され、同一のフォントＡの他の言語データで代用する場合には、「代用する言語名（例えば、日本語）で代用」７０２ｂが記憶される。
【００５２】
前記代用情報７０２が「代用しない」７０２ａである場合は、前記言語７０１に対応する、フォントＡの言語データが操作部１０２等に既に記憶されていることを示し、前記代用情報７０２が「代用する言語名で代用」７０２ｂである場合は、前記言語７０１に対応する、フォントＡの言語データが存在せず（不足しており）、同一のフォントＡの他の言語データで補う必要があることを示している。
【００５３】
例えば、言語７０１が「台湾語」である場合、前記フォントＡの言語データが存在しないものの（不足するものの）、同一のフォントＡの他の言語データである日本語で一部の文字を補うことが出来るため、当該言語７０１の「台湾語」には、代用情報７０２の「日本語で代用」７０２ｂが関連付けて記憶される。上述の場合は、例えば、何らかの理由により、前記フォントＡにおいて、前記選択された言語キーの台湾語の言語データと日本語の言語データとが共存出来ない場合に該当する。
【００５４】
前記言語データ代用テーブル７００を参照した言語データ代用判定手段４０２は、前記選択された言語キー６０６の言語７０１に対応する代用情報７０２を参照して、前記フォントＡの言語データを同一のフォントの他の言語データで代用するか否かを判定する。
【００５５】
前記判定の結果、前記代用情報７０２に「代用しない」７０２ａが記憶されている場合、例えば、ユーザが選択した言語キー６０６が「英」キー６０６ａである場合に、前記言語データ代用判定手段４０２は、当該言語７０１のフォントＡの言語データを同一のフォントＡの他の言語データで代用しないと判定し（図５：Ｓ１０５ＮＯ）、その旨を言語データ切替手段４０４に通知する。当該通知を受けた言語データ切替手段４０４は、第一の言語データ記憶手段４０５に予め記憶されている所定のフォントＡの言語データを参照するとともに、表示文字記憶手段４０６に予め記憶された表示文字テーブルを参照する。
【００５６】
前記フォントＡの言語データには、各言語毎に言語データが記憶されているとともに、前記表示文字テーブルには、所定の画面において表示すべき表示文字が各画面毎に予め記憶されている。
【００５７】
前記言語データ切替手段４０４は、前記表示文字テーブルから、前記画面６００における前記言語キー６０６の言語（英語）の表示文字を参照し、当該表示文字に対応する言語データの文字を、前記言語キー６０６の言語（英語）の言語データから取得する（図５：Ｓ１０６）。そして、前記言語データ切替手段４０４は、その旨を表示受付手段４０１に通知し、当該通知を受けた表示受付手段４０１は、前記取得された言語データの文字を用いて、操作画面を表示する（図５：Ｓ１０７）。これにより、同一のフォントＡの言語データが存在する場合には、同一のフォントＡの言語の表示文字で表示されることになる。
【００５８】
一方、Ｓ１０５において、前記判定の結果、前記代用情報７０２に「日本語で代用」７０２ｂが記憶されている場合、例えば、ユーザが選択した言語キー６０６が「台」キー６０６ｂである場合に、前記言語データ代用判定手段４０２は、当該言語７０１のフォントＡの言語データを同一のフォントＡの他の言語データで代用すると判定し（図５：Ｓ１０５ＹＥＳ）、その旨を言語データ代用検索手段４０７に通知する。当該通知を受けた言語データ代用検索手段４０７が、第一の言語データ記憶手段４０５から、同一のフォントＡの他の言語データ（日本語の言語データ）を参照し、前記言語キーの言語（台湾語）の表示文字を、前記他の言語データの文字から検索する。
【００５９】
前記言語データ代用検索手段４０７が、前記言語キーの言語の表示文字を、前記他の言語データの文字から検索する方法は、どのような方法でも構わないが、例えば、以下のようになされる。
【００６０】
即ち、前記言語データ代用検索手段４０７は、先ず、表示文字記憶手段４０６に予め記憶された表示文字テーブルを参照する。
【００６１】
前記表示文字テーブル７０３には、図７（Ｂ）に示すように、所定の画面（操作画面６００）において、前記選択された言語キーの言語（台湾語）で表示すべき表示文字７０４が各画面毎に記憶されている。
【００６２】
尚、前記表示文字７０４には、一般的な文字を示す文字コードでも良いが、理解を容易にするために、例えば、前記操作画面６００において、機能項目キー６０２のうち、「電子メール  主旨／内容」キーの表示文字に対応する「主」、「旨」、「内」、「容」が記憶されている。
【００６３】
前記言語データ代用検索手段４０７は、前記表示文字テーブル７０３の表示文字７０４と、第一の言語データ記憶手段４０５のフォントＡの日本語の言語データとを比較し、前記言語キーの言語（台湾語）の表示文字を、前記フォントＡの他の言語データ（日本語の言語データ）の文字から検索する（図５：Ｓ１０８）。
【００６４】
前記検索の結果、前記言語キーの言語の表示文字７０４が前記他の言語データの文字に存在する場合、例えば、図７（Ｂ）に示すように、台湾語の表示文字７０４「主」に対応する、同一のフォントＡの日本語の言語データの文字「主」が存在する場合に（図５：Ｓ１０８ＹＥＳ）、前記言語データ代用検索手段４０７は、この表示文字７０４は日本語の言語データの文字で代用できると判定して、その旨を言語データ切替手段４０４に通知する。当該通知を受けた言語データ切替手段４０４は、第一の言語データ記憶手段４０５から、前記存在した同一のフォントＡの他の言語データの文字を取得（図５：Ｓ１０９）。これにより、他の言語データを有効活用して、所望する言語の表示文字を代用表示することが可能となる。このような文字は、例えば、台湾語の文字に共通する日本語の文字が対応する。
【００６５】
一方、Ｓ１０８において、前記検索の結果、前記言語キーの言語の表示文字７０４が前記他の言語データの文字に存在しない場合、例えば、図７（Ｂ）に示すように、表示名の表示文字７０４「容」に対応する、同一のフォントＡの日本語の言語データの文字「内」が存在しない場合に（図５：Ｓ１０８ＮＯ）、前記言語データ代用検索手段４０７は、この表示文字７０４は日本語の言語データの文字で代用出来ないと判定して、その旨を言語データ切替手段４０４に通知する。当該通知を受けた言語データ切替手段４０４は、前記フォントＡと異なる他のフォント（例えば、フォントＢ）の言語データを記憶する第二の言語データ記憶手段４０８を参照し、図８（Ａ）に示すように、前記言語キーの言語の台湾語で、前記フォントＡと異なる他のフォントＢの言語データの文字「内」を取得する（図５：Ｓ１１０）。これにより、他のフォントＢになるものの、所望する言語の表示文字を確実に表示することが可能となる。このような文字は、例えば、台湾語の独自の特徴のある文字で、日本語の文字に存在しない文字が対応する。
【００６６】
そして、前記言語データ切替手段４０４は、所定の文字を取得すると、その旨を言語データ代用検索手段４０７に通知し、当該通知を受けた言語データ代用検索手段４０７は、前記表示文字テーブル７０３の表示文字７０４に対応する文字を全て取得したか否かを判定する（図５：Ｓ１１１）。
【００６７】
前記判定の結果、前記表示文字７０４に対応する文字を全て取得していない場合に（図５：Ｓ１１１ＮＯ）、前記言語データ代用検索手段４０７は、Ｓ１０８へ戻り、前記言語キー６０６の言語の表示文字７０４を、前記他の言語データの文字から検索する（図５：Ｓ１０８）。
【００６８】
一方、Ｓ１１１において、前記判定の結果、前記表示文字７０４に対応する文字を全て取得した場合に（図５：Ｓ１１１ＹＥＳ）、前記言語データ代用検索手段４０７は、その旨を言語データ切替手段４０４を介して、前記表示受付手段４０１に通知し、当該通知を受けた表示受付手段４０１は、前記取得された文字を用いて、前記言語キーの言語（台湾語）で表示文字が表示された操作画面を表示する（図５：Ｓ１０７）。
【００６９】
前記操作画面８００には、図８（Ｂ）に示すように、所定のメッセージ「可以傳送」８０１と、ファクシミリ機能等の設定条件を入力するための機能項目キー８０２と、前記画面に表示される表示言語を変更するための言語切替キー８０３（「語言切換」キー）とが表示される。
【００７０】
ここで、前記操作画面８００では、表示文字（表示名、表示名称）が、前記選択された言語キー６０６の台湾語で表示される。又、代用可能な台湾語の文字は、フォントＡの日本語の文字で表示され、代用不可な台湾語の文字は、フォントＢの台湾語の文字で表示される。例えば、機能項目キー８０２の「主旨／内容」のうち、「主」、「旨」、「容」８０２ａは、フォントＡの日本語の文字で表示され、「内」８０２ｂは、フォントＢの台湾語の文字で表示される。
【００７１】
これにより、代用可能な表示文字は、フォントが同一である他の言語の文字で代用し、代用不可な表示文字は、フォントが異なる、対応する言語の文字で表示する。そのため、同一のフォントで、相互に異なる言語データを記憶出来ない場合は、代用できる（補充できる）言語データを有効活用することが可能となる。その結果、表示文字のフォントの違和感を出来るだけ抑えつつ、他の言語の表示文字を有効活用することが可能となる。
【００７２】
さて、ユーザは、前記操作画面８００を見ながら、各機能項目キー８０２を選択して、所定の設定条件を入力すると、前記表示受付手段４０１が、当該設定条件の入力を受け付ける（図５：Ｓ１１２）。そして、ユーザが、スタートキー２０５を選択すると、前記表示受付手段４０１が、当該スタートキー２０５の選択を受け付けて、その旨を機能提供手段４０９に通知し、当該通知を受けた機能提供手段４０９は、前記設定条件に基づいて機能を提供する（図５：Ｓ１１３）。これにより、ユーザは、表示言語を切り換えて、所望する機能提供を簡単に実現することが可能となる。
【００７３】
尚、Ｓ１０２において、ユーザが、前記言語切替キー６０３を選択した場合（図５：Ｓ１０２ＮＯ）、Ｓ１０４において、ユーザが、前記キャンセルキー６０７を選択した場合（図５：Ｓ１０４ＮＯ）、前記表示受付手段４０１は、前記操作画面６００において、ユーザから、設定条件の入力を受け付けることになる（図５：Ｓ１１２）。
【００７４】
このように、本発明は、前記選択された言語キー６０６の言語における所定のフォントＡの言語データを同一のフォントＡの他の言語データで代用するか否かを判定する言語データ代用判定手段４０２と、前記判定の結果、前記フォントＡの言語データを同一のフォントＡの他の言語データで代用する場合に、前記言語キー６０６の言語の表示文字を、前記他の言語データの文字から検索する言語データ代用検索手段４０７とを備える。又、本発明は、前記検索の結果、前記言語キー６０６の言語の表示文字が前記他の言語データの文字に存在する場合に、当該存在した他の言語データの文字を取得し、前記言語キー６０６の言語の表示文字が前記他の言語データの文字に存在しない場合に、前記言語キー６０６の言語で、前記フォントＡと異なる他のフォントＢの言語データの文字を取得する言語データ切替手段４０４と、前記取得された文字に基づいて、前記言語キー６０６の言語で画面の表示文字を表示する表示受付手段４０１とを備える。
【００７５】
これにより、表示文字のフォントの違和感を出来るだけ抑えつつ、他の言語の表示文字を有効活用することが可能となる。特に、所定のフォントＡにおいて、複数の言語データを記憶することが出来ないような特別な事情、例えば、特定のフォントについては、オプション言語データとして、一の言語データしか記憶することが出来ない等が存在する場合には、本発明は、特に有効である。
【００７６】
尚、本発明の実施形態では、台湾語に対して日本語を代用対象として挙げたが、相互に文字を代用可能な言語であれば、本発明を適用出来る。例えば、独語に対して英語を代用対象とすることが可能である。この場合、独語の独特なウムラウト等が、他のフォントの言語データで表示すべき文字となる。
【００７７】
又、本発明は、操作部１０２を複合機１００に適用した場合について説明したが、タッチパネルを有する操作部１０２（操作装置）を備えた各種画像形成装置、各種画像処理装置、各種画像加工装置、各種画像表示装置等に適用しても、同一の作用効果を奏する。
【００７８】
又、本発明の実施形態では、複合機１００（操作部１０２）が各手段を備えるよう構成したが、当該各手段を実現するプログラムを記憶媒体に記憶させ、当該記憶媒体を提供するよう構成しても構わない。当該構成では、前記プログラムを複合機１００（操作部１０２）に読み出させ、当該複合機１００（操作部１０２）が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００７９】
以上のように、本発明に係る操作装置及び操作方法は、操作部はもちろん、それを備えた複合機、複写機、プリンタ等に有用であり、複合機はもちろん、スキャナ、複写機、プリンタ等に有用であり、表示文字のフォントの違和感を出来るだけ抑えつつ、他の言語の表示文字を有効活用することが可能な操作装置及び操作方法として有効である。
【符号の説明】
【００８０】
１００  複合機
１０２  操作部
４０１  表示受付手段
４０２  言語データ代用判定手段
４０３  言語データ代用記憶手段
４０４  言語データ切替手段
４０５  第一の言語データ記憶手段
４０６  表示文字記憶手段
４０７  言語データ代用検索手段
４０８  第二の言語データ記憶手段
４０９  機能提供手段
【図１】
2015026238.tif 000003
【図２】
2015026238.tif 000004
【図３】
2015026238.tif 000005
【図４】
2015026238.tif 000006
【図５】
2015026238.tif 000007
【図６】
2015026238.tif 000008
【図７】
2015026238.tif 000009
【図８】
2015026238.tif 000010